(57)【要約】【課題】本発明は、例えば有機色素で形成した情報記録面に光ビームを照射することにより、上記情報記録面を加熱して所望の情報を記録する光デイスク装置に関し、高い精度でトラツキング制御し得るようにする。【解決手段】本発明は、光ビームＬ１の光量がリードパワＲに切り換わつて反射光量が安定している期間の間、受光結果をそのまま用いてトラツキング制御し、それ以外の期間の間サンプリングした受光結果を用いてトラツキング制御する。【選択図】図２
2006331647.tif 000002
【特許請求の範囲】
【請求項１】
ライトパワ及びリードパワ間で光ビームの光量を切り換えて、上記光ビームを所定のデイスク状記録媒体に照射することにより、上記デイスク状記録媒体に所望の情報を記録する光デイスク装置において、
上記デイスク状記録媒体から得られる上記光ビームの反射光を複数の受光面で受光し、当該各受光面からそれぞれ受光信号を出力する受光手段と、
上記複数の受光面に対応して少なくとも１つ設けられ、上記リードパワの期間は、上記受光信号をサンプリングして出力し、上記ライトパワの期間は、上記リードパワの期間にサンプリングした上記受光信号を出力する複数のサンプルホールド回路を有するサンプルホールド手段と、
上記サンプルホールド手段の出力信号に基づいて、トラツキング制御、フオーカス制御及び上記デイスク状記録媒体の回転制御をそれぞれ行う制御手段と
を具え、
上記サンプルホールド手段は、
上記複数のサンプルホールド回路として、
上記リードパワの期間が所定期間以下のとき、該リードパワの期間の以前のリードパワの期間でサンプリングした上記受光信号を出力すると共に、上記リードパワーが上記所定期間以上のときにサンプリングして上記トラツキング制御に対応する受光信号を出力する第１のサンプルホールド回路と、
上記受光手段から出力される上記受光信号の出力を、上記リードパワの期間が所定期間以下であっても、上記リードパワの期間のタイミングでサンプリングして上記回転制御に対応する受光信号を出力する第２のサンプルホールド回路とを有する
ことを特徴とする光デイスク装置。
【請求項２】
ライトパワ及びリードパワ間で光ビームの光量を切り換えて、上記光ビームを所定のデイスク状記録媒体に照射することにより、上記デイスク状記録媒体に所望の情報を記録する光デイスク記録方法において、
受光手段によつて、上記デイスク状記録媒体から得られる上記光ビームの反射光を複数の受光面で受光し、当該各受光面からそれぞれ受光信号を出力する第１のステツプと、
上記複数の受光面に対応して少なくとも１つ設けられたサンプルホールド手段の複数のサンプルホールド回路によつて、上記リードパワの期間の間は、上記受光手段から出力される上記受光信号をサンプリングして出力し、上記ライトパワの期間は、上記リードパワの期間にサンプリングした上記受光信号を出力する第２のステツプと、
制御手段によつて、上記サンプルホールド手段の出力信号に基づいて、トラツキング制御、フオーカス制御及び上記デイスク状記録媒体の回転制御をそれぞれ行う第３のステツプと
を具え、
上記サンプルホールド手段は、
上記複数のサンプルホールド回路として、
上記リードパワの期間が所定期間以下のとき、該リードパワの期間の以前のリードパワの期間でサンプリングした上記受光信号を出力すると共に、上記リードパワーが上記所定期間以上のときにサンプリングして上記トラツキング制御に対応する受光信号を出力する第１のサンプルホールド回路と、
上記受光手段から出力される上記受光信号の出力を、上記リードパワの期間が所定期間以下であっても、上記リードパワの期間のタイミングでサンプリングして、上記回転制御に対応する受光信号を出力する第２のサンプルホールド回路とを有する
ことを特徴とする光デイスク記録方法。
【発明の詳細な説明】
【技術分野】
【０００１】
本発明は光デイスク装置及びその記録方法に関し、例えば有機色素で形成した情報記録面に光ビームを照射することにより、上記情報記録面を加熱して所望の情報を記録する光デイスク装置に適用し得る。
【背景技術】
【０００２】
従来、この種の光デイスク装置においては、リードパワとライトパワとの間で光ビームの光量を切り換えて所望の情報を記録し得るようになされたものがある。
すなわちこの種の光デイスク装置に適用する光デイスクにおいては、ポリカーボネートのデイスク状基板に有機色素を付着して情報記録面を形成し、この情報記録面を保護層で保護する。
【０００３】
これに対して光デイスク装置は、この情報記録面に光ビームを照射することにより、有機色素を熱変化させ、これにより情報記録面に反射率の低い領域を形成する。これにより光デイスク装置は、コンパクトデイスクと同様のピツトを情報記録面に順次形成して所望の情報を記録する。
【０００４】
この情報記録の際、所定の記録トラツク形成位置に確実にピツトを形成し得るように、この種の光デイスクは、予め情報記録面にらせん状にプリグルーブを形成するようになされ、光デイスク装置においては、光ビームの反射光を受光することによりこのプリグルーブを基準にしてトラツキング制御するようになされている。
【０００５】
すなわち図４に示すように、この種の光デイスク装置においては、記録するデータをＥＦＭ変調して変調信号Ｓ１を生成し（図４（Ａ））、必要に応じてこの変調信号Ｓ１のタイミングを補正して記録信号Ｓ２を生成する（図４（Ｂ））。なおこの変調信号Ｓ１は、所定の基準周期Ｔを基準にして３Ｔ〜11Ｔの範囲でＨレベル及びＬレベルの期間が連続するように形成され、記録信号Ｓ２は、破線で示すようにこの変調信号Ｓ１の立ち下がりのタイミングを補正して形成される。
【０００６】
これにより光デイスク装置は、この記録信号Ｓ２の信号レベルに追従して光ビームＬ１の光量をリードパワＲ及びライトパワＷの間で切り換え（図４（Ｃ））、この光ビームＬ１を光デイスクの情報記録面に集光する。これにより光デイスクは、光ビームＬ１がライトパワＷに切り換わつて温度が上昇すると、有機色素が変化して反射率が低下し、光デイスク装置においては、順次光ビームＬ１の走査軌跡に変調信号Ｓ１に対応したピツトＰ（図４（Ｄ））を形成することができる。
【０００７】
このピツト形成時の反射率の変化に伴い、光デイスクから得られる反射光は、ライトパワＷに切り換えた直後、大幅に増大した後、ピツトＰが形成され始めると反射率が低下することにより光量が低下し、続いてリードパワＲに切り換わると、光ビームの照射位置がそれまで形成していたピツトＰの外側に位置するまで極端に低下し、続いて反射率の高い部分だけを走査するようになると所定光量に立ち上がる。
これにより反射光量の受光結果でなる再生ＲＦ信号ＲＦにおいては、この反射光量の変化に追従して信号レベルが大きく変化する（図４（Ｅ））。
【０００８】
このためこの種の光デイスク装置においては、矢印で示すように、光量をリードパワＲからライトパワＷに切り換える直前のタイミングで受光素子の出力信号をサンプルホールドし、このサンプルホールド結果に基づいてトラツキングエラー信号を形成するようになされている。すなわちリードパワＲにおいては、情報再生時の光量でなることにより、再生ＲＦの信号レベルが安定したタイミングで受光素子の出力信号をサンプルホールドすれば、情報再生時と同様の受光結果を得ることができる。これにより光デイスク装置は、このサンプルホールド結果に基づいてプリグルーブに対する光ビーム照射位置のずれを検出してトラツキング制御するようになされている。
【発明の開示】
【発明が解決しようとする課題】
【０００９】
ところが実際上、このように受光結果をサンプルホールドしてトラツキングエラー信号を生成する場合、ライトパワＷに切り換える直前のタイミングでサンプルホールドしたサンプルホールド結果を基準にして最大22Ｔもの期間の間トラツキング制御することになる。
このため従来の光デイスク装置においては、記録時、トラツキング制御の精度が低下する問題がある。
またこのようにライトパワＷに切り換える直前のタイミングでサンプルホールドする場合、ノイズ等の影響でトラツキング精度が低下する問題もある。
【００１０】
本発明は以上の点を考慮してなされたもので、高い精度でトラツキング制御することができる光デイスク装置を提案しようとするものである。
【課題を解決するための手段】
【００１１】
かかる課題を解決するため本発明においては、ライトパワＷ及びリードパワＲとの間で光ビームＬ１の光量を切り換えて、光ビームＬ１を所定のデイスク状記録媒体に照射することにより、デイスク状記録媒体２に所望の情報を記録する光デイスク装置１において、デイスク状記録媒体２から得られる光ビームＬ１の反射光を受光して受光信号ＳＡ〜ＳＦを出力する受光手段１２、１３と、光ビームＬ１の光量の切り換えに追従して信号レベルを切り換えて制御信号ＳＰを出力する制御手段６と、制御信号ＳＰを基準にして、光ビームＬ１の光量がライトパワＷからリードパワＲに切り換わつて所定期間ｔ経過した後、光ビームＬ１の光量がリードパワＲからライトパワＷに切り換わる直前までのリードパワの一部期間の間、受光手段１２、１３から出力される受光信号ＳＡ〜ＳＦを出力し、リードパワの一部期間の終了するタイミングで受光信号ＳＡ〜ＳＦをサンプリングし、リードパワの一部期間が終了した後続くリードパワの一部期間が開始するまでの期間の間、サンプリングした受光信号ＳＡ〜ＳＦを出力するサンプルホールド手段１８Ａ〜１８Ｈとを備え、サンプルホールド手段１８Ａ〜１８Ｈの出力信号ＳＡ〜ＳＦに基づいて光ビームＬ１をデイスク状記録媒体２に照射する。
【００１２】
さらに第２の発明において、光デイスク装置１は、サンプルホールド手段１８Ａ〜１８Ｈの出力信号に基づいてトラツキング制御及びフオーカス制御することにより、サンプルホールド手段１８Ａ〜１８Ｈの出力信号ＳＡ〜ＳＦに基づいて光ビームＬ１をデイスク状記録媒体２に照射し、受光手段１２、１３は、複数の受光面Ａ〜Ｆで反射光を受光し、各受光面Ａ〜Ｆからそれぞれ受光信号ＳＡ〜ＳＦを出力し、サンプルホールド手段１８Ａ〜１８Ｈは、トラツキング制御、フオーカス制御及び複数の受光面Ａ〜Ｆに対応して、制御信号ＳＰを基準にして、リードパワの一部期間の間、受光手段１２、１３から出力される受光信号ＳＡ〜ＳＦを出力し、リードパワの一部期間の終了するタイミングで受光信号ＳＡ〜ＳＦをサンプリングし、リードパワの一部期間が終了した後続くリードパワの一部期間が開始するまでの期間の間、サンプリングした受光信号ＳＡ〜ＳＦを出力する複数のサンプルホールド回路１８Ａ〜１８Ｈを有し、複数のサンプルホールド回路１８Ａ〜１８Ｈのうち、フオーカス制御に対応する受光信号を出力するサンプルホールド回路１８Ａ、１８Ｂは、リードパワＲの期間が所定期間３Ｔ以下のとき、受光手段１２、１３から出力される受光信号ＳＡ、ＳＢの出力を停止して直前でサンプリングした受光信号ＳＡ、ＳＢを出力する。
【００１３】
光ビームＬ１の光量がライトパワＷからリードパワＲに切り換わつて所定期間ｔ経過した後、光ビームＬ１の光量がリードパワＲからライトパワＷに切り換わる直前までのリードパワの一部期間の間、受光手段１２、１３から出力される受光信号ＳＡ〜ＳＦを出力し、リードパワの一部期間の終了するタイミングで受光信号ＳＡ〜ＳＦをサンプリングし、リードパワの一部期間が終了した後続くリードパワの一部期間が開始するまでの期間の間、サンプリングした受光信号ＳＡ〜ＳＦを出力すれば、単にライトパワに切り換わる直前でサンプルホールドして受光結果を保持する場合に比して多くのトラツキング情報等を出力し得、これによりサーボ用のエラー信号を生成して、精度の高いエラー信号を生成し得る。
【００１４】
このときフオーカス制御に対応して受光信号を出力するサンプルホールド回路１８Ａ、１８Ｂで、リードパワＲの期間が所定期間３Ｔ以下のとき、受光手段１２、１３から出力される受光信号ＳＡ、ＳＢの出力を停止して直前でサンプリングした受光信号ＳＡ、ＳＢを出力すれば、不必要な高域成分の出力を低減してノイズ等の影響を低減し得る。
【発明の効果】
【００１５】
上述のように本発明によれば、光ビームの光量がリードパワに切り換わつて反射光量が安定している期間の間、受光結果をそのまま用いてトラツキング制御し、それ以外の期間の間サンプリングした受光結果を用いてトラツキング制御することにより、精度の高いトラツキングエラー信号を生成してトラツキング制御することができ、その分従来に比して高い精度でトラツキング制御することができる光デイスク装置を得ることができる。
【発明を実施するための最良の形態】
【００１６】
以下図面について、本発明の一実施の形態を詳述する。
【００１７】
（１）実施例の構成
図１において、１は全体として光デイスク装置を示し、有機色素で情報記録面を形成した光デイスク２に所望の情報を記録再生する。
すなわち光デイスク装置１においては、スピンドルＰＬＬ回路３で所定の基準信号を生成し、この基準信号でドライバ４を駆動することにより、スピンドルモータ５で光デイスク２を回転駆動する。
【００１８】
この状態で光デイスク装置１は、記録時、ＥＦＭ変調信号Ｓ１をタイミング生成回路６に入力し、ここで所定の基準信号を生成すると共に、記録信号Ｓ２を生成し、この記録信号Ｓ２をレーザドライバ７に出力する。
ここでレーザドライバ７は、この記録信号Ｓ２に基づいて光学ピツクアツプ８を形成するレーザダイーオドを駆動する。
【００１９】
光学ピツクアツプ８は、このレーザダイーオドの射出光Ｌ１を所定の光学系を介して光デイスク２の情報記録面に集光し、これにより光デイスク装置１は、図２に示すように、記録信号に応動して光ビームＬ１の光量を切り換え、この光ビームＬ１を光デイスク２に照射するようになされている（図２（Ａ））。
このとき光学ピツクアツプ８は、フオーカスコイル９及びトラツキングコイル１０を所定の駆動信号で駆動することにより、光デイスク２の情報記録面に光ビームＬ１を集光する対物レンズを、上下左右に可動し得るようになされ、これにより光デイスク装置１は、フオーカスエラー信号及びトラツキングエラー信号を基準にしてフオーカスコイル９及びトラツキングコイル１０を駆動することにより、フオーカス制御及びトラツキング制御し得るようになされている。
【００２０】
さらに光学ピツクアツプ８は、この対物レンズを介して光デイスク２の反射光を受光し、この反射光を所定の受光素子に導くようになされている。
ここで図３に示すように、この受光素子は、矩形形状の受光面を田の字状に４つの領域Ａ〜Ｄに分割した第１の受光素子１２と、矩形形状の受光面を２等分して受光面Ｅ、Ｆを形成した第２の受光素子１３で形成され、光学ピツクアツプ８は、この第１の受光素子１２の受光面Ａ〜Ｄがそれぞれ光デイスク２の半径方向及び円周方向に並ぶように、さらに第１の受光素子１２に対して第２の受光素子が光デイスク２の円周方向所定距離だけオフトラツクした位置に並ぶようになされている。
【００２１】
これにより光学ピツクアツプ８は、反射光をこの第１及び第２の受光素子１２及び１３に集光するように、光学系を形成するようになされている。
さらに光学ピツクアツプ８は、ヘツドアンプボード１４を内蔵し、このヘツドアンプボード１４に搭載したヘツドアンプ１５Ａ〜１５Ｆで各受光面Ａ〜Ｆの出力信号を増幅して出力し、このうち第１の受光素子１２の出力信号を増幅するヘツドアンプ１５Ａ〜１５Ｄの出力信号を、ヘツドアンプ１５ＲＦで加算増幅して出力する。これにより光学ピツクアツプ８は、再生ＲＦ信号ＲＦを生成して出力するようになされている。
【００２２】
これに対してマトリツクスボード１６は、複数の増幅回路１７Ａ〜１７Ｉを有し、第１及び第２の増幅回路１７Ａ及び１７Ｂにそれぞれヘツドアンプ１５Ａ、１５Ｃ及びヘツドアンプ１５Ｂ、１５Ｄの出力信号を入力して加算増幅することにより、受光素子１２の対角線方向に並ぶ受光面Ａ、Ｃ及び受光面Ｂ、Ｄ間で、それぞれ出力信号ＳＡ、ＳＣ及びＳＢ、ＳＤの加算信号Ａ＋Ｃ及びＢ＋Ｄを生成する。
さらにマトリツクスボード１６は、第３及び第４の増幅回路１７Ｃ及び１７Ｄにそれぞれヘツドアンプ１５Ａ、１５Ｄ及びヘツドアンプ１５Ｂ、１５Ｃの出力信号を入力して加算増幅することにより、光デイスク２の円周方向に並ぶ受光素子１２の受光面Ａ、Ｄ及び受光面Ｂ、Ｃ間で、それぞれ出力信号ＳＡ、ＳＤ及びＡＢ、ＳＣの加算信号Ａ＋Ｄ及びＢ＋Ｃを生成する。
【００２３】
さらにマトリツクスボード１６は、第５及び第６の増幅回路１７Ｅ及び１７Ｆにそれぞれヘツドアンプ１５Ｅ及び１５Ｆの出力信号を入力することにより、第２の受光素子１３の各受光面Ｅ、Ｆの出力信号を増幅して出力するのに対し、第７及び第８の増幅回路１７Ｇ及び１７Ｈに第３及び第４の増幅回路１７Ｃ及び１７Ｄの入力信号を入力して増幅し、第９の増幅回路１７Ｉにヘツドアンプ１５ＲＦの出力信号でなる再生ＲＦ信号ＲＦを入力して増幅する。
これにより光デイスク装置１は、再生時、この増幅回路１７Ｉから出力される再生ＲＦ信号ＲＦを所定の信号処理回路に入力して処理することにより、光デイスク２に記録した情報を再生し得るようになされている。
【００２４】
さらにマトリツクスボード１６は、この第１〜第８の増幅回路１７Ａ〜１７Ｈに対応するようにサンプルホールド回路１８Ａ〜１８Ｈを配置し、各サンプルホールド回路１８Ａ〜１８Ｈに第１〜第８の増幅回路１７Ａ〜１７Ｇの出力信号を入力する。
なおこのうち第７及び第８のサンプルホールド回路１８Ｇ及び１８Ｈは、それぞれコンデンサ２０及び２１を介して増幅回路１７Ｇ及び１７Ｈの出力信号を入力することにより、直流成分を除去するようになされている。
【００２５】
このサンプルホールド回路１８Ａ〜１８Ｈは、タイミング生成回路６で生成されるサンプルホールド信号ＳＰを基準にして動作するようになされ、このサンプルホールド信号ＳＰの信号レベルが立ち上がつている期間の間、入力信号をそのまま出力するのに対し、サンプルホールド信号ＳＰの信号レベルが立ち下がると、この立ち下がりのタイミングで入力信号をサンプリングし、サンプルホールド信号ＳＰの信号レベルが立ち上るまでの期間の間、サンプリングした入力信号を出力するようになされている。
【００２６】
このサンプルホールド回路１８Ａ〜１８Ｈに対してタイミング生成回路６は、リードパワＲに光量を切り換えた後、光デイスク２の特性、ライトパワＷ等で決まる所定期間ｔ経過して反射光の光量が整定すると（図２においては受光面Ａ〜Ｆの出力信号ＳＡ〜ＳＦで表す（図２（Ｂ）））、サンプルホールド信号ＳＰの信号レベルを立ち上げた後、リードパワＲからライトパワＷに切り換える直前のタイミングでサンプルホールド信号ＳＰの信号レベルを立ち下げる。
【００２７】
これによりサンプルホールド回路１８Ａ〜１８Ｈは、反射光の光量が整定すると増幅回路１７Ａ〜１７Ｇの出力信号をそのまま出力するのに対し（記号Ｓで表す（図２（Ｃ））、リードパワＲからライトパワＷに切り換える直前のタイミングでこの出力信号をサンプリングして保持し、続くリードパワＲに切り換わるまでの期間の間、このサンプリングした入力信号を出力するようになされている。
マトリツクスボード１６に搭載された増幅回路２２は、第１及び第２のサンプルホールド回路１８Ａ及び１８Ｂの出力信号を減算して出力し、これによりフオーカスエラー信号ＦＥを生成する。
【００２８】
このときサンプルホールド信号ＳＰの信号レベルが立ち上がつている期間の間、サンプルホールド回路１８Ａ〜１８Ｈから受光結果がそのまま出力されることにより、増幅回路２２は、従来に比して多くのフオーカスエラー情報を続くサーボ回路３０に出力し得、これにより誤差が少なく、かつノイズの影響の少ないフオーカスエラー信号ＦＥを出力することができる。
これに対してマトリツクスボード１６に搭載された増幅回路２３及び２４は、それぞれ第３及び第４のサンプルホールド回路１８Ｃ及び１８Ｄと第５及び第６のサンプルホールド回路１８Ｅ及び１８Ｆの出力信号を減算して出力し、増幅回路２５は、この増幅回路２３及び２４の出力信号を減算し、これによりトラツキングエラー信号ＴＥを生成する。
【００２９】
このときサンプルホールド信号ＳＰの信号レベルが立ち上がつている期間の間、サンプルホールド回路１８Ａ〜１８Ｈから受光結果がそのまま出力されることにより、増幅回路２５は、従来に比して多くのトラツキングエラー情報を続くサーボ回路３０に出力し得、これにより誤差が少なく、かつノイズの影響の少ないトラツキングエラー信号を出力することができる。
従つて光デイスク装置１においては、その分従来に比してトラツキング制御及びフオーカス制御の精度を向上し得、さらに一段と記録密度を向上し得る。
【００３０】
これに対して増幅回路２６は、第７及び第８のサンプルホールド回路１８Ｇ及び１８Ｈの出力信号を減算して出力し、これによりプリグルーブのウオーブルに応じて信号レベルが変化するウオーブル信号ＡＴＩＰを生成する。
このプリグルーブのウオーブルは、中心周波数22.05〔kHz〕で周波数変調して形成されることにより、サンプルホールド信号ＳＰの信号レベルが立ち上がつている期間の間、サンプルホールド回路１８Ａ〜１８Ｈから受光結果をそのまま出力してウオーブル信号ＡＴＩＰを生成すれば、その分周波数の高い位置情報を確実に検出することができる。
従つてその分光デイスク装置１においては、光ビーム走査位置の位置情報を高い精度で検出し得、その分さらに一段と記録密度を向上することができる。
【００３１】
ところでフオーカスエラー信号は、トラツキングエラー信号、ウオーブル信号ＡＴＩＰに比して周波数が低い（数〔kHz〕でなる）特徴がある。
これに対して最も記録波長の短い周期３Ｔのピツトを形成する場合、リードパワＲに切り換えた後反射光量が整定するまでの期間が極めて短い特徴があり、この期間の間でサンプリングすると、却つてフオーカスエラー信号ＦＥにノイズが混入する恐れもある。
【００３２】
このためこの実施例において、タイミング生成回路６は、フオーカスエラー信号を生成する第１及び第２のサンプルホールド回路１８Ａ及び１８Ｂについては、周期３Ｔのピツトを形成する場合、サンプルホールド信号ＳＰの信号レベルをＬレベルに保持し、これによりその直前でサンプリングした受光結果をそのまま増幅回路２２に出力するようになされている。これによりフオーカスエラー信号ＦＥについては、不必要な高域成分の出力を低減し、ノイズ等の混入を低減し得るようになされている。
【００３３】
かくして光デイスク装置１においては、サンプルホールド回路１８Ａ〜１８Ｈに入力される受光結果を直接出力する期間を形成することにより、トラツキング制御の精度、位置情報の検出精度を向上し得、さらにこの直接出力する期間をピツトの大きさで切り換えることにより、各サーボ信号に応じて最適なタイミングで受光結果を得ることができ、これによりさらに一段とトラツキング等の精度を向上することができる。
【００３４】
すなわちサーボ回路３０は、このフオーカスエラー信号ＦＥ及びトラツキングエラー信号ＴＥを基準にしてフオーカスコイル９及びトラツキングコイル１０を駆動し、これによりフオーカス制御及びトラツキング制御するのに対し、スピンドルＰＬＬ回路３は、ウオーブル信号ＡＴＩＰの中心周波数が22.05〔kHz〕になるようにスピンドルモータ５を回転駆動する。
【００３５】
（２）実施例の効果
以上の構成によれば、光ビームの光量がリードパワに切り換わつて反射光量が安定している期間の間、受光結果をそのまま続くサーボ回路３０、増幅回路２２〜２５に出力し、それ以外の期間の間サンプリングした受光結果を出力することにより、従来に比して多くのトラツキングエラー情報等を続くサーボ回路３０、増幅回路２２〜２５に出力し得、サーボ回路３０、増幅回路２２〜２５でトラツキングエラー信号、ウオーブル信号、フオーカスエラー信号を生成して精度の高い信号を生成することができ、その分トラツキング制御等の精度を向上することができる。
【００３６】
（３）他の実施例
なお上述の実施例においては、受光素子１２の出力信号ＳＡ〜ＳＤを一旦増幅回路１７Ａ〜１７Ｄ、１７Ｇ、１７Ｈで加算した後、サンプルホールド回路に続く増幅回路２２〜２５で減算処理することにより、トラツキングエラー信号、フオーカスエラー信号等を生成する場合について述べたが、本発明はこれに限らず、トラツキングエラー信号、フオーカスエラー信号等を生成するマトリツク回路をサンプルホールド回路の前後、何れの箇所に配置するようにしてもよい。
【００３７】
さらに上述の実施例においては、周期３Ｔのピツトを形成する場合、フオーカスエラー信号については、サンプルホールド信号の信号レベルをＬレベルに保持し、直前でサンプリングした受光結果をそのまま増幅回路２２に出力する場合について述べたが、本発明はこれに限らず、この制御をトラツキングエラー信号に割り当てたサンプルホールド回路に適用しても良く、さらにはこの周期３Ｔのピツトを形成する場合だけでなく、これに加えて周期４Ｔ等のピツトを形成する場合にもサンプルホールド回路の動作を切り換えてもよい。
【００３８】
さらに上述の実施例においては、有機色素で情報記録面を形成した光デイスクに所望の情報を記録再生する場合について述べたが、本発明はこれに限らず、光量をリードパワとライトパワとの間で切り換えて所望の情報を記録する光デイスク装置に広く適用することができる。
【図面の簡単な説明】
【００３９】
【図１】本発明の一実施例による光デイスク装置を示すブロツク図である。
【図２】その動作の説明に供する信号波形図である。
【図３】受光結果の処理の説明に供するブロツク図である。
【図４】従来の光デイスク装置の動作の説明に供する信号波形図である。
【符号の説明】
【００４０】
１……光デイスク装置、２……光デイスク、８……光学ピツクアツプ、１２、１３……受光素子、９……フオーカスコイル、１０……トラツキングコイル、１５Ａ〜１５Ｆ、１５ＲＦ……ヘツドアンプ、１７Ａ〜１７Ｉ、２２〜２６……増幅回路、１８Ａ〜１８……サンプルホールド回路１８Ａ。
【図１】
2006331647.tif 000003
【図２】
2006331647.tif 000004
【図３】
2006331647.tif 000005
【図４】
2006331647.tif 000006